(57)【要約】  【課題】複数種類の香の粉を簡単に且つ十分に混ぜ合わせるする方法、およびそのキットを提供すること。  【解決手段】本発明の方法は、複数種類の香の粉を、密閉可能な蓋を備えた容器（シェイカー）に入れて、その容器を上下方向、前後方向、もしくは左右方向の少なくとも何れかの方向に繰り返し数回振ることによって、容器に入れた複数種類の香の粉を十分に攪拌混合して、前記容器から攪拌混合された粉を取り出して、通気性素材で形成された袋に入れることを特徴としている。  また、その手作りキットは、複数種類の香の粉がそれぞれ入った複数の密閉容器と、香の粉を攪拌混合するための密閉可能な蓋を備えた容器と、混合攪拌した粉を入れる通気性素材で形成された袋と、香の粉を計量するための計量用スプーンとがセットされている。【選択図】      図１
2006034503.tif 000002
【特許請求の範囲】
【請求項１】
複数種類の香の粉を、密閉可能な蓋を備えた容器に入れて、その容器を上下方向、前後方向、もしくは左右方向の少なくとも何れかの方向に繰り返し数回振ることによって、容器に入れた複数種類の香の粉を十分に攪拌混合して、前記容器から攪拌混合された粉を取り出して、通気性素材で形成された袋に入れることを特徴とするにおい袋作成方法。
【請求項２】
密閉可能な蓋を備えた容器としては、シェイカーを用いることを特徴とする請求項１に記載のにおい袋作成方法。
【請求項３】
複数種類の香の粉がそれぞれ入った複数の密閉容器と、
香の粉を攪拌混合するための密閉可能な蓋を備えた容器と、
混合攪拌した粉を入れる通気性素材で形成された袋と、
香の粉を計量するための計量用スプーンと
がセットされてなる手作りにおい袋作成キット。
【発明の詳細な説明】
【技術分野】
【０００１】
本発明は、におい袋作成方法に関するものである。におい袋とは、複数の香の粉を調合したものを袋に入れたものであり、この袋から得られるほのかな香を楽しむのである。
【背景技術】
【０００２】
におい袋に入れる香の原料としては、古来より香木が用いられている。香は仏教儀礼の焼香供養品として用いられ、聖徳太子の時代から、香をたいてその場を清め、穢れをはらい、清浄を保つためのものとして定着してきた。これらの香木は、日本で採ることができず、インドや東南アジアなどから輸入しなけらばならず、たいへん貴重なものであり、入手も困難であった。香木は比重が水よりも重く水中に沈むことから沈水香、沈水、沈香ともよばれた。
【０００３】
香木を焚くだけで満足していた時代から、人々はしだいに複雑な香りの薫物に魅せられるようになった。平安時代には香を部屋に焚いたり、衣類に焚き染めたり、翫香の習慣が始まったのもこのころ。平安貴族の間では「薫物合」という遊戯が流行になり日本の香の文化を創りあげていった。
香の文化が豊かな日本には香木となる植物は自生していないので、主に、中国、インド、東南アジアから輸入することが多い。
【０００４】
香の利用形態としては、主に以下のような種類がある。
1. 焼香:原料は白檀（サンダルウッド）、沈香（アガルウッド）、丁字、鬱金、龍脳などの五種類の香料にしきみや檜の葉を乾燥した粉末を加えたもので、今でもお葬式などで使われている。
2. 塗香：現代では写経をするときに行い、粉末にした香料を体に塗るか、本尊に備える。
3. 香水：密教の儀式で使われるもので、香料を混ぜた水を決められた手順に沿って、本尊や参拝者にふりかけるもの。
4. 含香：香料を口中でかんで、体を香気で清めようとするもの。
5. 線香：中国からその製造法が伝えられたのは、今からほんの四百年ほど前。以来、におい線香（お仏壇やお茶席、寺院内に儀式などで使用する高級線香）と、杉線香（杉の木や葉の粉末を主原料としてつくる墓参り用線香）に大きく分かれ、盛んにつくられてきた。線香作りでは、さまざまな香料を混ぜ合わせるために、つなぎとして粘りがあるクスノキ科の常緑高木タブノキの樹皮の粉末を使う。この樹皮には繊維が多いため、出来上がったお線香に線のように細い繊維がまじっています。このことから線香と名づけられた。
6. 掛香：古くは室内にかけておく香嚢をさしたが、近年ではにおい袋のことをいう。におい袋とは、絹等の小さい袋に調合した香料薬品の粉末をいれて身につけるもの。懐中にしたり、懐に入れたりして、風情あるたしなみの一つとされていた。
【０００５】
一時は人々の生活から少し遠い存在となっていた「香」が急に身近なものとなったのはごく最近である。アロマテラピーが注目されたことも影響して「香」は若者の間に一気に広まり、今では雑貨屋さんに行けばすぐお香は手に入る。そして、そのかおりの種類は数え切れないほどである。伝統的な香りの他に、西洋のハーブを使ったもの、例えばカモミールやローズ、グリーンアップル、グレープフルーツなど。また最近よく見かけるのが、水、月、雪、竹、さくらなど直接的ではなく間接的に何かを連想させるような香りも出ている。このような何かをイメージさせる香りは日本の伝統的な香の感覚と同じである。香立ても和風のものからインドのものまであって、香の形もコーン型、スティック型、渦巻き型、花などをかたどったものなどがあり、色もさまざまで目でも楽しむことができる。
【０００６】
最近では、数種類の香の粉を購入して、自由に混合して組み合わせて、種々の香りを楽しむことが多くなって来ている。その場合には、数種類の香の粉を袋に詰めてにおい袋として使用している。
【発明の開示】
【発明が解決しようとする課題】
【０００７】
しかし、十分に混ぜ合わせることなく単に同じ袋に入れただけでは、使用途中に攪拌されて、においが変化したりするので安定したにおいが維持しにくいという問題があり、簡単な方法で十分に混ぜ合わせる方法が求められていた。
【０００８】
そこで、本発明においては、複数種類の香の粉を簡単に且つ十分に混ぜ合わせることのできる方法を提案して、におい袋の利用を促すことを目的としている。
【課題を解決するための手段】
【０００９】
本発明の請求項１の方法は、
複数種類の香の粉を、密閉可能な蓋を備えた容器に入れて、その容器を上下方向、前後方向、もしくは左右方向の少なくとも何れかの方向に繰り返し数回振ることによって、容器に入れた複数種類の香の粉を十分に攪拌混合して、前記容器から攪拌混合された粉を取り出して、通気性素材で形成された袋に入れることを特徴としている。
請求項２では、密閉可能な蓋を備えた容器としては、シェイカーを用いることを特徴としている。
請求項３の手作りキットは、
複数種類の香の粉がそれぞれ入った複数の密閉容器と、
香の粉を攪拌混合するための密閉可能な蓋を備えた容器と、
混合攪拌した粉を入れる通気性素材で形成された袋と、
香の粉を計量するための計量用スプーンと
がセットされている。
【発明の効果】
【００１０】
本発明の方法によってにおい袋を作成すると、数回振るという簡単な方法で、複数種類の香の粉を十分に攪拌混合することができるので、長時間安定した香りを楽しむことができる。
【発明を実施するための最良の形態】
【００１１】
以下に、本発明にかかるにおい袋作成方法を、その実施の形態を示した図１を参照しながら詳細に説明する。
本発明の方法は、以下の手順に沿って行うことを特徴とする。
第１手順
複数種類の香の粉を、密閉可能な蓋を備えた容器（例えばシェイカー）に入れる。
第２手順
前記容器を上下方向、前後方向、もしくは左右方向の少なくとも何れかの方向に繰り返し数回振って、前記容器に入れた複数種類の香の粉を十分に攪拌混合する。
第３手順
前記容器から攪拌混合された粉を取り出して、通気性素材で形成された袋に入れる。
第４手順
前記袋の口を閉じてにおい袋を完成させる。
【００１２】
香は、白壇、龍脳、丁子、桂皮、山奈、甘松、かっ香、大回香、安息香、木香、ムスク、甘味香料の12種類の中から適宜選択する。
前記容器は、透明容器にねじ込み式の蓋を備えた高さ10ｃｍ〜20ｃｍの樹脂製容器とする。
前記通気性素材で形成された袋は、和紙袋とする。
【００１３】
本発明の方法に用いるための「手作り匂い袋キット」は、図２に示したように、攪拌混合容器としてのシェイカー１、12種類の香の粉がそれぞれに入った12個の密閉容器２Ａ〜２Ｌ、和紙製袋３、紐４、縮緬地袋５、計量用スプーン６とから構成されている。
【実施例１】
【００１４】
実施例１の混合例としては、
白壇を1/2スプーン、龍脳を1/2スプーン、丁子を1/2スプーン、桂皮を1/2スプーン、山奈を1/2スプーン、かっ香を1スプーン、木香を1/2スプーン、ムスクを1/2スプーンという量で、付属の計量用スプーンで計量して付属のシェイカーに入れる。
シェイカーを振って十分攪拌した後、和紙製の袋に適量入れる。香を入れた袋の口を1〜2回折り返してこぼれないようにする。折り返した部分を更にステープラーや糊やテープ等で閉じて封をする。
封をした袋を付属の縮緬地袋に入れる。縮緬地袋に入れた後、付属の紐で結び形を整えるとにおい袋が完成する。
このような混合例によれば、防虫効果を兼ね備え、且つ健胃効果のある香りが得られる。
【実施例２】
【００１５】
実施例２の混合例としては、
白壇を２スプーン、龍脳を1/2スプーン、丁子を1/4スプーン、桂皮を1/2スプーン、甘松を1/2スプーン、大回香を1/2スプーン、かっ香を1スプーン、木香を1/4スプーン、ムスクを1/2スプーンという量で、付属の計量用スプーンで計量して付属のシェイカーに入れる。
シェイカーを振って十分攪拌した後、和紙製の袋に適量入れる。香を入れた袋の口を1〜2回折り返してこぼれないようにする。折り返した部分を更にステープラーや糊やテープ等で閉じて封をする。
封をした袋を付属の縮緬地袋に入れる。縮緬地袋に入れた後、付属の紐で結び形を整えるとにおい袋が完成する。
このような混合例によれば、防虫効果を兼ね備え、且つ健胃効果があって、実施例１とは若干異なる香りが得られる。
【図面の簡単な説明】
【００１６】
【図１】本発明にかかるにおい袋の作成方法の実施の形態の構成を示した構成図である。
【図２】本発明にかかる手作りにおい袋作成キットの構成図である。
【符号の説明】
【００１７】
１  攪拌混合容器、シェイカー
２Ａ〜２Ｌ  密閉容器
３  和紙製袋
４  紐
５  縮緬地袋
６  計量用スプーン
【図１】
2006034503.tif 000003
【図２】
2006034503.tif 000004